(57)【要約】【課題】子供が握り易い把手を有し、その把手を握ることで安定して容器本体から飲み物を飲むことができる子供用飲料カップを提供する。【解決手段】第１把手４および第２把手５は容器本体２の側面から互いに突き出して延びる１対の軸部材４１，５１と、軸部材４１，５１のそれぞれの先端から上下に延びて外側面に膨らみを有し、その先端部が容器本体２側に湾曲して形成された握り部材４２，４３，５２，５３とを含み、容器本体２の軸部材４１，５１との連結部と軸部材４１，５１と握り部材４２，４３，５２，５３はエラストマー６，７で覆われている。【選択図】        図６
2004321231.tif 000002
【特許請求の範囲】
【請求項１】
容器本体と、前記容器本体の側面に固定して設けられた把手とを備えた子供用飲料カップにおいて、
前記把手は、前記容器本体の側面から互いに逆方向に突き出して延びる１対の軸部材と、前記１対の軸部材のそれぞれの先端から上下に延びる握り部材とを含むことを特徴とする、子供用飲料カップ。
【請求項２】
前記容器本体は、その底部外周から外側に延びる鍔状のベース部材を含む、請求項１に記載の子供用飲料カップ。
【請求項３】
前記握り部材は、前記軸部材の先端から外側面が上側に膨らむように延び、その先端部が前記容器本体側に湾曲して形成される上側握り部材と、前記軸部材の先端から外側面が下側に膨らむように延び、その先端部が前記容器本体側に湾曲して形成される下側握り部材とを含む、請求項１に記載の子供用飲料カップ。
【請求項４】
前記下側握り部材は、前記上側握り部材の膨らみに比べて大きく膨らむように形成されている、請求項３に記載の子供用飲料カップ。
【請求項５】
前記軸部材と前記上側握り部材とによって囲まれた空間および前記軸部材と前記下側握り部材とによって囲まれた空間は、円弧状に形成されている、請求項３に記載の子供用飲料カップ。
【請求項６】
前記容器本体は、剛性のある材料からなる剛性容器本体部分と、前記軸部材との連結部分を取り囲む領域に形成されている軟質容器本体部分とを含み、
前記把手は、前記剛性容器本体部分と同一の材料からなる剛性軸部材および剛性握り部材と、前記軟質容器本体部分から連続的に形成されている軟質軸部材および軟質握り部材とを含む、請求項１ないし５のいずれかに記載の子供用飲料カップ。
【発明の詳細な説明】
【０００１】
【発明の属する技術分野】
この発明は子供用飲料カップに関し、たとえば、幼児などの子供が手にしたときに安定して把持でき、飲み物を飲むことができる子供用飲料カップに関する。
【０００２】
【従来の技術】
乳児から幼児に成長するにつれて、子供は大人の手から離れて自らミルクなどが満たされたカップを手で持ちながら飲むようになる。しかし、幼児にとってカップを手でしっかり持って飲むという習慣がまだ形成されていない。
【０００３】
【発明が解決しようとする課題】
このような幼児に対して、自らカップを安定してしかもしっかり持たせる習慣を身に付けさせたいという要望がある。このためには、容器本体としてある程度の剛性を有するものが要求される。しかも、子供の手で握り易く、しかも子供が興味を持つような把手を有するものが望ましい。
【０００４】
それゆえに、この発明の主たる目的は、子供が握り易い把手を有し、その把手を握ることで安定して容器本体から飲み物を飲むことができる子供用飲料カップを提供することである。
【０００５】
【課題を解決するための手段】
この発明は、容器本体と、容器本体の側面に固定して設けられた把手とを備えた子供用飲料カップにおいて、把手は容器本体の側面から互いに逆方向に突き出して延びる１対の軸部材と、１対の軸部材のそれぞれの先端から上下に延びる握り部材とを含むことを特徴とする。
【０００６】
これにより、子供は容器本体の左右に設けられている握り部材を両手で握ることで、しっかりと容器本体を保持できるので、安定して飲み物を飲むことができる。
【０００７】
好ましくは、容器本体は、その底部外周から外側に延びる鍔状のベース部材を含む。このようなベース部材が設けられているので、容器本体をテーブル上に安定して載置でき、子供が握り部材を下方向へ押し付けても、容器本体が倒れることがない。
【０００８】
好ましくは、握り部材は外側面が軸部材の先端から上側に膨らむように延び、その先端部が容器本体側に湾曲して形成される上側握り部材と、外側面が軸部材の先端から下側に膨らむように延び、その先端部が容器本体側に湾曲して形成される下側握り部材とを含む。このように握り部材の外側面を湾曲させることで子供の手の平で把持し易くなる。
【０００９】
好ましくは、下側握り部材は上側握り部材の膨らみに比べて大きく膨らむように形成されている。下側握り部材の膨らみを大きくすることで握り部材を末広がりにでき、子供が下方向に押し付けるように握り部材に力を加えて握っても握り難くなることがない。
【００１０】
軸部材と上側握り部材とによって囲まれた空間および軸部材と下側握り部材とによって囲まれた空間は、円弧状に形成されている。この空間に指を挿入したとき、指が円弧状の部分に接するので握り部材を握り易くなる。
【００１１】
容器本体は、剛性のある材料からなる剛性容器本体部分と、軸部材との連結部分を取り囲む領域に形成されている軟質容器本体部分とを含み、把手は剛性容器本体部分と同一の材料からなる剛性軸部材および剛性握り部材と、軟質容器本体部分から連続的に形成されている軟質軸部材および軟質握り部材とを含む。軟質容器本体部分と軟質軸部材と軟質握り部材により、子供の手あるいは指との感触を優しくソフトにできる。
【００１２】
【発明の実施の形態】
図１はこの発明の一実施形態におけるカバーを閉じた状態における子供用飲料カップの正面図であり、図２は蓋を外した子供用飲料カップの正面から見た縦断面図であり、図３は子供用飲料カップの右側面図であり、図４は子供用飲料カップの外観斜視図であり、図５は子供用飲料カップの蓋を外した状態を示す外観斜視図である。
【００１３】
この発明の一実施形態の子供用飲料カップ１は、容器本体２と、容器本体２の底部に設けられる皿状のベース部材３と、容器本体２の側面から互いに逆方向に突き出して延びる１対の第１把手４および第２把手５とを含む。
【００１４】
容器本体２は、落としても容易に割れたりひび割れしないように、剛性のあるポリプロピレンなどの合成樹脂材料からなり、底部を有する円筒形状に形成されている。ベース部材３は容器本体２の底部の外側周囲から外側に鍔状に延びるように一体的に形成されており、ベース部材３は子供用飲料カップ１をテーブル上に載置したときに安定し、子供が第１把手４および第２把手５を両手で下方向へ押さえつけたときでも、容易に倒れたりすることがないように設けられている。
【００１５】
第１把手４および第２把手５は、容器本体２とともに一体的に形成されて剛性取手部分を構成しており、子供が両手で把持し易いように、それぞれの外周面が子供の手の平の湾曲面に沿うように形作られ、図１の正面図から明らかなように全体的に末広がりの形状を有している。
【００１６】
一方（右側）の第１把手４は、容器本体２の上端から下がった位置で、高さ方向の中央よりも上側を連結部分として水平に延びる軸部材４１と、軸部材４１の先端で連結されて上下に延びる握り部材４２，４３とを含む。軸部材４１の連結部分を容器本体２の上端に位置させると、第１把手４および第２把手５を把持したときに不安定になるのに対して、上述のごとく容器本体２の上端から下がった位置で、高さ方向の中央よりも上側に軸部材４１の連結部分を設けることにより、第１把手４および第２の把手５を把持したときの安定度を増すことができる。
【００１７】
上側の握り部材４２は軸部材４１との連結点から真上方向に膨らむように延びかつその先端部が容器本体２側に湾曲するように形成され、下側の握り部材４３は軸部材４１との連結点から真下方向に膨らむように延びかつその先端部が容器本体２側に湾曲するように形成されている。下側の握り部材４３は、上側の握り部材４２の膨らみに比べて大きくされており、その結果末広がりの形状が形成されている。このように握り部材４２，４３を末広がりの形状に形成することにより、子供が上から押さえつけるように握り部材４２，４３に力を加えて握っても握り難くなることがない。
【００１８】
なお、上側の握り部材４２と軸部材４１との間で形成される空間および下側の握り部材４３と軸部材４１との間で形成される空間はそれぞれ円弧状となるように形成されている。これらの空間に指を挿入したとき、指が円弧状の部分に接するので上側の握り部材４２と下側の握り部材４３とを握り易くなる。
【００１９】
さらに、上側の握り部材４２の上端は容器本体２の上端よりも下側に位置しており、上側の握り部材４２の先端部と容器本体２との間の隙間は、子供の指が上側に抜けない程度の寸法に選ばれている。これにより、上側の握り部材４２と軸部材４１との間の空間に指を挿入した際に、指が上側に抜けることがなく、子供用飲料カップ１が不用意に落下するのを防止できる。また、上側の握り部材４２の上端は親指で押えて保持し易いように平坦となるように形成されている。
【００２０】
握り部材４２，４３の周囲と、軸部材４１の周囲と、容器本体２における軸部材４１の連結部分を取り囲む領域とには、例えば柔らかい合成ゴムなどの高弾性高分子材料からなるエラストマー６で連続的に覆われている。容器本体２における軸部材４１の連結部分を取り囲む領域は軟質容器本体部分を構成し、握り部材４２，４３と軸部材４１のエラストマー６で覆われた部分は軟質把手部分を構成している。このように、握り部材４２，４３と軸部材４１と容器本体２における軸部材４１の連結部分とを取り囲む領域をエラストマー６で覆うことにより、子供の手あるいは指が触れる部分の感触を柔らかくできるので、子供の肌に優しいものとすることができる。また、このエラストマー６は断熱材としても作用するので、たとえ容器本体２内に熱い飲み物が入れられていても、子供の手あるいは指に熱が直接伝達されることがない。
【００２１】
握り部材４２，４３の外側面および軸部材４１の上下には、複数の開口４４が形成されており、剛性部分が露出している。これらの開口４４は握り部材４２，４３と、軸部材４１と、容器本体２における軸部材４１の連結部分を取り囲む領域とをエラストマー６で覆う際に治具が当接する部分となる。握り部材４２，４３の外側面はエラストマー６で覆われた部分と、開口４４により露出した剛性部分とが交互に存在するため、手の平を当接させたときの滑り止めとしての作用も果たすことができる。
【００２２】
他方（左側）の第２把手５は、第１把手４と同様にして、容器本体２の上端から下がった位置で、高さ方向の中央よりも上側を連結部分として水平に延びる軸部材５１と、軸部材５１の先端で連結されて上下に延びる握り部材５２，５３とを含む。握り部材５２，５３の周囲と、軸部材５１の周囲と、容器本体２における軸部材５１の連結部分を取り囲む領域は、エラストマー７で覆われており、握り部材５２，５３の外側面と軸部材５１の上下には複数の開口５４が形成されている。これらの左側の軸部材５１と、握り部材５２，５３は、右側の軸部材４１と、握り部材４２，４３と同様にして構成され、左右対称になっている以外は同じであるため、詳細な説明は省略する。
【００２３】
このように剛性のある円筒状容器２の軸部材４１，５１の連結部分と、軸部材４１，５１と、握り部材４２，４３，５２，５３とを柔らかいエラストマー６，７で覆って二重成形することにより、強い剛性を得ることができるばかりでなく、子供の手の平や指の表面にソフトな感触を与えることができる。
【００２４】
容器本体２の上部には合成樹脂材料で形成された蓋８が設けられている。このために容器本体２の上端の外周面には、図２に示すようにねじ９が形成されており、蓋８の内周面にも図示しないがねじが形成されており、これらのねじ９により蓋８が容器本体２の上端に対してねじ止めされる。蓋８の上部には半球状部８１が形成されており、半球状部８１の中央部には柔らかい合成樹脂で形成されたストロー１０が上下方向に延びるように設けられているとともに、凹部８２が形成されている。ストロー１０はその下端が容器本体２内の底部まで延び、その上端は半球状部８１から上に延びて子供が口に咥えて飲み物を吸い込み易い長さに決められている。
【００２５】
蓋８の半球状部８１を覆うように断面が半円形状に形成された合成樹脂材料からなるカバー８３が半球状部８１に対して回動可能に設けられており、カバー８３を回動することにより、ストロー１０のカバー８３から上部に突出した部分がカバー８３により押圧されて蓋８の半球状部８１に形成された凹部８２内に折り曲げられて収納される。これにより、飲み物を子供用飲料カップ１に注入し、ストロー１０を折り曲げた状態で、外出先に所持することも可能になる。また、ストロー１０を折り曲げることができるので、ストロー１０の先端部の衛生状態を良好に保つことができる。
【００２６】
上述のごとく構成された子供用飲料カップ１を用いて子供が飲み物を飲むときには、右手の平を第１把手４の握り部材４２，４３の外側面に当接させ、上側の握り部材４２を親指と人差し指または人差し指および中指とで握り、軸部材４１を挟んで下側の握り部材４３を右手のその他の指で握る。また、左手の平を第２把手５の握り部材５２，５３の外側面に当接させ、上側の握り部材５２を親指と人差し指または人差し指および中指とで握り、軸部材５１を挟んで下側の握り部材５３を左手のその他の指で握る。そして、ストロー１０の上部を咥えることにより、内部の飲み物を吸引して飲むことができる。なお、左右の親指で左右の握り部材４２，５２の上端を押えれば、子供用飲料カップ１をより安定して保持することもできる。
【００２７】
また、ストロー１０を用いることなく、蓋８を容器本体２から取外し、子供が上記説明と同様にして両手で第１把手４および第２把手５の握り部材４２，４３，５２，５３を握り、口を円筒状容器２の縁に直接あてがって飲み物を飲むこともできる。
【００２８】
したがって、この実施形態によれば、軸部材４１，５１を指で挟みながら握り部材４２，４３，５２，５３を両手で握ることができるのでバランスがよくなり、子供用飲料カップ１を極めて安定して確実に保持できる。また、握り部材４２，４３，５２，５３を柔らかいエラストマー６，７によって覆うことにより、子供の手に優しくソフトな感触を与えることができ、さらに手が滑り難くできる。これにより、内部の飲み物の量に関係なく安定して手で持つことができる。さらに、軸部材４１，５１を指で確実に挟むことができ、握り部材４２，５２の先端と容器本体２との間の隙間が子供の指が上側に抜けない程度の寸法に選ばれているので、指が握り部材４２，５２から抜けてしまい、子供用飲料カップ１自体が落下するおそれを少なくできる。
【００２９】
図６はこの発明の他の実施形態における飲料カップの右側面図である。図１〜図５に示した実施形態では、第１把手４の下側の握り部材４３を軸部材４１との連結点からほぼ真下に延びかつその先端部が容器本体２側に湾曲するように形成しているのに対して、この実施形態では下側の握り部材４５を軸部材４１との連結点で正面側に所定の角度を有するように屈曲させかつその先端部が円筒状容器２側に湾曲させるように形成したものである。第２把手５側も図示しないが同様にして構成される。このように下側の握り部材４５を軸部材４１との連結部分で屈曲させることにより、飲み物が少なくなってきたときに屈曲した下握り部材４５を把持すれば、子供用飲料カップ１を傾け易くなり、底部に残っている飲み物を飲み干し易くなる。
【００３０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【００３１】
例えば、上述の図１〜図５に示した実施形態では、握り部材４２，４３，５２，５３の外側面を湾曲するように形成したが、これに限ることなく軸部材４１，５１の先端から垂直に延びる棒状の握り部材を設けるようにしてもよく、また、握り部材の外側面はほぼ垂直にし、握り部材の容器本体２側には図１〜図５に示した実施形態と同様にして、指が挿入できる円弧状の空間を形成してもよい。
【００３２】
【発明の効果】
以上のように、この発明によれば、容器本体の側面から互いに逆方向に突き出して延びる１対の軸部材と、１対の軸部材のそれぞれの先端から上下に延びる握り部材とを含むように把手を形成したことにより、子供が容器本体の左右に設けられている握り部材を両手で握ることで、しっかりと容器本体を保持できるので、安定して飲み物を飲むことができる。
【図面の簡単な説明】
【図１】この発明の一実施形態のカバーを閉じた状態における子供用飲料カップの正面図である。
【図２】この発明の一実施形態の蓋を外した状態における子供用飲料カップの断面図である。
【図３】この発明の一実施形態における子供用飲料カップの右側面図である。
【図４】この発明の一実施形態のストローを延ばした状態における子供用飲料カップの外観斜視図である。
【図５】この発明の一実施形態における子供用飲料カップの蓋を外した状態を示す外観斜視図である。
【図６】この発明の他の実施形態における子供用飲料カップの右側面図である。
【符号の説明】
１  子供用飲料カップ、２  円筒状容器、３  ベース部材、４  第１把手，５第２把手、６，７  エラストマー、８  蓋、９  ねじ、１０  ストロー、４１，５１  軸部材、４２，４３，４５，５２，５３  握り部材、４４  開口、８１半球状部、８２  凹部、８３  カバー。
【図１】
2004321231.tif 000003
【図２】
2004321231.tif 000004
【図３】
2004321231.tif 000005
【図４】
2004321231.tif 000006
【図５】
2004321231.tif 000007
【図６】
2004321231.tif 000008